(57)【要約】【課題】冷蔵庫庫内への熱負荷となる放熱パイプを冷蔵庫前面開口部に配設しないことにより省エネルギー効果を高めた冷蔵庫において、前面板の温度低下を防ぎ、前面板における結露を防止する【解決手段】庫内への熱負荷侵入を抑制するため冷蔵庫本体１７の前面開口部には発汗防止用フロントコンデンサを配設せず、前面板３８を縦横一体の樹脂化により、交差部の隙間をなくし、熱伝導性を低下することにより庫内への熱移動を抑え、放熱パイプによる冷蔵庫庫内への熱負荷をなくし、省エネルギーを高めるとともに、庫内冷気の前面板への伝達を抑制することが可能となり、前面板３８の表面温度の低下を防ぐことができ、前面板３８の発汗を防止できる。【選択図】図５
2005201524.tif 000002
【特許請求の範囲】
【請求項１】
少なくとも３つの貯蔵室を有し、前記貯蔵室の前面開口部にそれぞれ開閉自在な扉体と、前記貯蔵室を仕切る複数の仕切体と、前記仕切体の前面部に前面板とを備え、前記仕切体は少なくとも２つが交差しており、交差している仕切体の前面板はプラスチック樹脂からなり、縦横一体に形成されていることを特徴とする冷蔵庫。
【請求項２】
プラスチック樹脂からなる縦横一体で形成された前面板は、シール部より貯蔵室内側に位置しない部分で良熱伝導性の材料を複合したことを特徴とする請求項１に記載の冷蔵庫。
【請求項３】
仕切体と対向する扉体には磁性体を有するシール部材を設けるとともに、プラスチック樹脂からなる縦横一体で形成された前面板は、シール部より貯蔵室内側に位置しない部分で良熱伝導性の材料を複合したことを特徴とする請求項１に記載の冷蔵庫。
【請求項４】
前面板はプラスチック樹脂部の上部及び下部に折り曲げ部を有することを特徴とする請求項１から請求項３のいずれか一項に記載の冷蔵庫。
【請求項５】
前面板は仕切体側に複数のリブを有し、前記リブと仕切体前面部により空間部を形成することを特徴とする請求項１から請求項４のいずれか一項に記載の冷蔵庫。
【請求項６】
前面板は、仕切体の前方部に挿入したときに仕切体を保持できる保持部を有することを特徴とする請求項１から請求項５のいずれか一項に記載の冷蔵庫。
【請求項７】
前面板は対向する扉体側に凸上に形成されたことを特徴とする請求項１から請求項６のいずれか一項に記載の冷蔵庫。
【請求項８】
冷蔵庫の冷媒を可燃性自然冷媒とすることを特徴とする請求項１から請求項７のいずれか一項に記載の冷蔵庫。
【請求項９】
真空断熱材を冷蔵庫の内箱と外箱との間に配設し、硬質ウレタンフォームで一体発泡することを特徴とする請求項１から請求項８のいずれか一項に記載の冷蔵庫。
【発明の詳細な説明】
【技術分野】
【０００１】
本発明は、冷蔵庫の仕切体周辺の断熱構成に関するものである。
【背景技術】
【０００２】
近年、冷蔵庫には、冷蔵庫や冷凍室など、少なくとも２つの貯蔵室を有するものが供されており、その貯蔵室間を仕切る仕切体の前面部に前面板が備えられている。従来のこの種の冷蔵庫としては、冷凍サイクルの放熱パイプの熱伝導によって前面板表面の露付きを防止したものがある。（例えば、特許文献１参照）
以下、図面を参照しながら上記従来の冷蔵庫を説明する。
図１０は、従来の冷蔵庫の立て断面図である。図１１は、従来の冷蔵庫の冷凍サイクル配管の透視図である。図１２は、従来の冷蔵庫の仕切体の断面図である。
【０００３】
図１０において冷蔵庫本体１は、上部仕切体２、下部仕切体３によって中央に引き出し式冷凍室４、上部に冷蔵室５、下部に引き出し式野菜室６を区画形成している。また中央仕切体７により前記冷凍室４を上下２段の引き出し式冷凍室としている。冷蔵室５底部に設けられた低温室８は、約−３℃のパーシャルフリージング温度に保たれている。
【０００４】
図１１において圧縮機９、サイドコンデンサ１０、フロントコンデンサ１１、キャピラリチューブ１２で構成された冷凍サイクルある。また冷却器１３で冷却された冷気は送風器１４によって前記の各室に送風される。
【０００５】
次に、仕切体内部の構造について、中央仕切体７を例にとって説明すると、図１２において前面板１５は上下に折曲部を形成した断面がコの字型で形成されており、コの字型内部にはフロントコンデンサ１１の一部をなす放熱パイプ１６が配設されている。また前面板１５は鉄板のような熱電導性のよい材料から構成され、放熱パイプ１６と熱交換するように接触して配設されている。また、仕切体７の内部空間に挿入された発泡スチロール、軟質フォームなどの断熱材１６ａを備えている。
【０００６】
上記構成において以下その動作について説明する。圧縮機９で圧縮された冷媒はサイドコンデンサ１０を経てフロントコンデンサ１１へと入りキャピラリチューブ１２で減圧され冷却器１３で蒸発する。
【０００７】
冷却器１３で冷却された冷気は送風器１４で冷凍室４、冷蔵室５、野菜室６へと送風され各々の室を所定の温度に冷却する。
【０００８】
ここで庫内の冷却作用により仕切体２、３、７は冷却され結露を生じやすくなるが、冷凍サイクルの運転中は４０℃前後になる放熱パイプ１６からの熱伝達によって、前面板１５の温度は４０℃弱に保たれ、前面板１５の表面の露付きを防止する。
【特許文献１】特開平７−１８０９４４号公報
【発明の開示】
【発明が解決しようとする課題】
【０００９】
しかしながら、上記従来の構成では、前面板１５の上下両端部は強度確保の面から冷凍室４の内側に延出しており、この延出部は断熱材１６ａによって囲まれているが、断熱材１６ａの断熱性能は発泡スチロール、軟質フォームなどのために十分高いものでなく、かつ挿入作業性を考慮して密着した配置構造にできないため空隙が生じる。そのため放熱パイプ１６からの放熱の一部は前面板１５の両端部を通じて冷凍室４内に熱負荷として侵入しやすく冷蔵庫の冷凍システムの効率を低下させるという問題が生じる。また逆に、庫内の冷気によって、前面板１５の両端部を通じて、前面板１５は冷却され結露を生じることがある。
【００１０】
また、仕切体の前面部が独立して交差している場合、交差部に隙間が生じ、結露を生じやすいという課題があった。
【００１１】
本発明は従来の課題を解決するものであり、仕切板およびその周辺の断熱性を高めることによって、仕切体前面板の温度低下を防止し、放熱パイプを廃止して熱負荷侵入低減による省エネルギー化を図るものである。
【課題を解決するための手段】
【００１２】
上記課題を解決するため、本発明の冷蔵庫は、少なくとも３つの貯蔵室を有し、前記貯蔵室の前面開口部にそれぞれ開閉自在な扉体と、前記貯蔵室を仕切る複数の仕切体と、前記仕切体の前面部に前面板とを備え、前記仕切体は少なくとも２つが交差しており、交差している仕切体の前面板はプラスチック樹脂からなり、縦横一体に形成したものであり、プラスチック樹脂は金属と比較して熱容量が小さく、前面板表面に対する庫内側冷気の影響が少ないので、前面板表面の温度低下が抑えられ結露を防止することが可能である。また、放熱パイプを配設しなくても庫内冷気の前面板への伝達を熱伝導性の低いプラスチック樹脂材によって抑制することが可能となり、前面板の表面温度の劣化および庫内への熱侵入を抑えると同時に結露を防止することができる。縦横を一体化することにより交差部の隙間をなくしシール性を強化することができる。
【発明の効果】
【００１３】
本発明の冷蔵庫によれば、少なくとも３つの貯蔵室を有し、前記貯蔵室の前面開口部にそれぞれ開閉自在な扉体と、前記貯蔵室を仕切る複数の仕切体と、前記仕切体の前面部に前面板とを備え、前記仕切体は少なくとも２つが交差しており、交差している仕切体の前面板はプラスチック樹脂からなり、縦横一体に形成したことにより、交差部の隙間をなくしシール性を強化することができ、結露を防止することができる。
【発明を実施するための最良の形態】
【００１４】
請求項１に記載の冷蔵庫の発明は、少なくとも３つの貯蔵室を有し、前記貯蔵室の前面開口部にそれぞれ開閉自在な扉体と、前記貯蔵室を仕切る複数の仕切体と、前記仕切体の前面部に前面板とを備え、前記仕切体は少なくとも２つが交差しており、交差している仕切体の前面板はプラスチック樹脂からなり、縦横一体に形成したものであり、プラスチック樹脂は金属と比較して熱容量が小さく、前面板表面に対する庫内側冷気の影響が少ないので、前面板表面の温度低下が抑えられ結露を防止することが可能である。また、放熱パイプを配設しなくても庫内冷気の前面板への伝達を熱伝導性の低いプラスチック樹脂材によって抑制することが可能となり、前面板の表面温度の劣化および庫内への熱侵入を抑えると同時に結露を防止することができる。縦横を一体化することにより交差部の隙間をなくしシール性を強化することができる。
【００１５】
請求項２に記載の発明は、請求項１に記載の冷蔵庫において、プラスチック樹脂からなる縦横一体で形成された前面板は、シール部より貯蔵室内側に位置しない部分で良熱伝導性の材料を複合したものであり、外気の熱影響を前面板前方部に熱伝導することにより表面温度の劣化を抑え結露を防止するものである。また、シール部より庫側に良熱伝導性材料を配置するため、庫内冷気の影響を及ぼしにくい。
【００１６】
請求項３に記載の発明は、請求項１に記載の冷蔵庫において、仕切体と対向する扉体には磁性体を有するシール部材を設けるとともに、プラスチック樹脂からなる縦横一体で形成された前面板は、シール部より貯蔵室内側に位置しない部分で良熱伝導性の材料を複合したものであり、扉と冷蔵庫本体を磁力により確実にシールできる構造になっているため、庫内への熱侵入を更に強化できる。
【００１７】
請求項４に記載の発明は、請求項１から請求項３のいずれか一項に記載の発明において、前面板はプラスチック樹脂部の上部及び下部に折り曲げ部を有するものであり、前面板のプラスチック樹脂部を折り曲げるので端部を仕切体に挿入しても、熱伝導性が低く庫内への熱侵入を抑えることができ、さらに省エネルギーを図れるともに、前面板の表面温度の低下を抑えることができる。
【００１８】
請求項５に記載の発明は、請求項１から請求項４のいずれか一項に記載の発明において、前面板は仕切体側に複数のリブを有し、前記リブと仕切体前面部により空間部を形成するものであり、空間部内の対流が更に減少することにより断熱効果を上げることができる。また、空気層で断熱できるため、断熱材の部品を削減できる。
【００１９】
請求項６に記載の発明は、請求項１から請求項５のいずれか一項に記載の発明において、前面板は、仕切体の前方部に挿入したときに仕切体を保持できる保持部を有するものであり、前面板を、仕切体の前方部に挿入したときに保持部により仕切体と前面板の勘合の精度をあげ、隙間をなくすことができ、更に空気の侵入を抑えることができる。
【００２０】
請求項７に記載の発明は、請求項１から請求項６のいずれか一項に記載の発明において、前面板は対向する扉体側に凸上に形成したものであり、ドア表面に近接することにより外気温度近傍の温度帯を維持することができるため、前面板の結露を防止することができる。
【００２１】
請求項８に記載の発明は、請求項１から請求項７のいずれか一項に記載の発明において、冷蔵庫の冷媒を可燃性自然冷媒とするものであり、本発明における冷蔵庫はフロントコンデンサを配設しないので、システムボリュームが小さくなり冷媒量を削減することができ、冷媒漏洩時における安全性が高まる。
【００２２】
請求項９に記載の発明は、請求項１から請求項８のいずれか一項に記載の発明において、真空断熱材を冷蔵庫の内箱と外箱との間に配設し、硬質ウレタンフォームで一体発泡するものであり、本発明における冷蔵庫はフロントコンデンサを配設せず庫内冷気の前面板への伝達を抑制する構造を有するので、真空断熱材の断熱性能により冷蔵庫の運転率が低下しても、運転率の影響を受ける放熱パイプを発汗防止手段としないので安定して発汗の防止を図ることができる。さらに真空断熱材は硬質ウレタンフォームの数倍の断熱性能を有するので冷蔵庫庫内への熱侵入を有効に防ぐことができる。
【００２３】
以下、本発明の実施の形態について、図面を参照しながら説明する。なお、従来と同一構成については、同一符号を付して詳細な説明を省略する。また、この実施の形態によってこの発明が限定されるものではない。
【００２４】
（実施の形態１）
図１は、本発明の実施の形態１による冷蔵庫の正面図である。図２は、同実施の形態による冷蔵庫の縦断面図である。図３は、同実施の形態による冷蔵庫の冷凍サイクル配管の透視図である。図４は、同実施の形態による縦横一体の前面板の斜視図である。図５は、同実施の形態による冷蔵庫の仕切体の断面図である。
【００２５】
図１から図５において、１７は冷蔵庫本体、上から冷蔵室１８、野菜室１９、製氷室２０、低温室２１、冷凍室２２を区画形成しており、製氷室２０と低温室２１は横に並んでいる。低温室２１は、温度コントロールができる切替室であってもかまわない。２３は、冷蔵室１８と野菜室１９を上下に仕切る仕切体、２４は、野菜室１９と製氷室２０、低温室２１を上下に仕切る仕切体、２５は、製氷室２０と低温室２１を左右に仕切る仕切体、２６は、製氷室２０、低温室２１と冷凍室２２を上下に仕切る仕切体である。
【００２６】
２７は冷蔵室１８の前面開口部にヒンジによって取付けた回転式扉、２８は野菜室１９の前面開口部に取付けた引き出し式扉、２９は製氷室２０に取り付けられた引出し式扉、３０は低温室２１に取り付けられた扉、３１は冷凍室２２に取り付けられた引出し式扉である。
【００２７】
３２は冷凍サイクルの冷却器であり、３３は冷却器３２の上方で冷凍室２２の後方に設けた強制通風用の送風機、３４は野菜室１９と低温室２１の後方に設けた風路制御手段であり、内部に冷蔵室１８、野菜室１９および低温室２１への冷気供給量を調整するダンパー（図示せず）を備えている。冷却器３２で冷却された冷気は送風機３３、風路制御手段３４によって前記各室に送風される。
【００２８】
３５は冷凍サイクルの圧縮機、３６はサイドコンデンサ、３７はキャピラリチューブである。なお、本実施の形態の冷蔵庫は、庫内への熱負荷侵入を抑制するため冷蔵庫本体１７の前面開口部には発汗防止用フロントコンデンサは配設していない。
【００２９】
３８は、仕切り体２４，２５の前面部に取り付けられた縦横一体の前面板である。前面板３８はＡＢＳやポリプロピレン等のプラスチック樹脂で成型されている。３９は、前面板前方部に取り付けられた良熱伝導性の材料である。
【００３０】
前面板３８は上部及び下部に折り曲げ部３８ａを有しており、仕切体２４の前面部２４ａに接触するまで挿入している。そして、折り曲げ部３８ａの内側に前面板補強用のリブ３８ｂを有し、ており、仕切体２４の前面部２４ａに接触させ、リブ前面板と仕切体２４は、折り曲げ部３８ａ、リブ３８ｂ、仕切体前面部２４ａで空間部４０を形成している。前面板３８は、補強のため空間部を形成してもかまわない。製氷室２０、低温室２１の仕切体２５についても同じ構成になっている。
【００３１】
また、前面板前方部には、凸部３８ｃを形成している。
【００３２】
また、前面板３８は、横部の折り曲げ部３８ａの外側に突起部３８ｄを有し、仕切体２４の前方部２４ａに形成された溝２４ｂに勘合している。同じく前面板３８の縦部の折り曲げ部は、仕切体２５の側面部と勘合している（図示せず）。４１は仕切体２４、２５内に充填した硬質ウレタンフォームである。４２，４３はシール部材としてのガスケットで、それぞれ冷蔵室回転式扉２７と、野菜室１９、製氷室２０、低温室２１、冷凍室２２の各引出し式扉２８、２９、３０、３１に配設されている。４２ａ、４３ａは形状を容易に変形することのできるシール部材の補助部であり、前面板前方部の凸部３８ｃに接触している。４４、４５は、前面板と扉部との隙間である。
【００３３】
以上のように構成された冷蔵庫について、以下その動作を説明する。
【００３４】
冷凍サイクルを構成する圧縮機３５、サイドコンデンサ３６、キャピラリチューブ３７、冷却器３２の運転、および送風機３３、風路制御手段３４により、冷蔵室１８、野菜室１９、製氷室２０、低温室２１および冷凍室２２は所定の温度に冷却される。ここで、本実施の形態の冷蔵庫１７は、庫内への熱負荷侵入を抑制するため冷蔵庫本体１７の前面開口部には発汗防止用フロントコンデンサを配設せず、仕切体２４の内部に硬質ウレタンフォーム４１を充填しているので、放熱パイプによる冷蔵庫庫内への熱負荷をなくし、省エネルギーを高めるとともに、庫内冷気の前面板への伝達を断熱性能の高い硬質ウレタンフォーム４１によって抑制することが可能となり、前面板３８の表面温度の低下を防ぐことができ、前面板３８の発汗を防止できる。
【００３５】
また、仕切体２４、２５の前面部に縦横一体にした前面板３８は、交差部を一体に成型しているため隙間をなくすことができ、空気の流れを遮断でき断熱性をあげることができるため、前面板表面の発刊を防止することができる。
【００３６】
また、前面板３８は上部及び下部に折り曲げ部３８ａと、リブ３８ｂと、仕切体前面部２４ａにより形成された空間部３９により、空間部の対流をおさえ、空気断熱できるので、断熱材として別部品を挿入することなく、断熱効果をあげることができ、庫内への熱侵入を効率よく防止でき、さらに省エネルギーを図れるとともに、前面板３８の表面温度の低下をさらに抑えることができるので、前面板３８の発汗を防止できる。
【００３７】
また、前面板３８は、折り曲げ部３８ａの外側に有した突起部３８ｄと、仕切体２４の前方部に形成された溝２４ｂは勘合しており、樹脂による前面板が冷熱変化や挿入時の荷重による変形や対向部品とのばらつきにより隙間を生じることのないよう確実にシールすることができるので、更に庫内への熱侵入を抑えることができ、前面板の発汗を防止できる。
【００３８】
また、前面板の前方部の凸部３８ｃにより、外気の熱を拾いやすく、表面温度の低下を抑えることができるので表面の結露を防止することができる。
【００３９】
また、シール部４２，４３は、隙間４４、４５より厚く形成することにより扉閉時に確実に前面部に接触することができ、シール性があがるため熱進入を防ぎ、前面板表面部の発汗を防止できる。
【００４０】
また、シール部４２，４３の補助部４２ａ、４３ａが前面板前方部の凸部と接触し、変形することにより確実にシールできるため、更に熱侵入を抑えることができ、前面板の発汗を抑えることができる。
【００４１】
また、前面板前方部に取り付けられた良熱伝導性材料３９により、外気の熱を前面板表面に熱伝導することにより表面温度を上昇でき発汗を防止することができる。
【００４２】
また、前面板３８に対向する扉体２８、２９、３０の各端辺部は、前面板近傍に熱を回しこむために、磁性体より庫外側まで、良熱伝導性の金属材料であるアルミニウムあるいは鋼板と一体成型あるいは複合された樹脂で構成してもかまわない。
【００４３】
なお、本実施の形態では、仕切体２４、２５は、冷蔵庫本体１７の野菜室と製氷室、低温室を仕切る上下および製氷室と低温室で仕切る左右の縦横一体で説明したが、製氷室、低温室と冷凍室を仕切る上下および製氷室と低温室で仕切る左右の縦横一体に適用してもよい。この場合、周囲との温度差が大きいので、より大きな省エネ効果を得ることができる。更に、野菜室、製氷室、低温室、冷凍室を仕切る縦横一体すべてに適用してもよい、この場合、部品点数を減らすことができ、作業工数も削減できる。
【００４４】
（実施の形態２）
図６は、本実施の形態２による冷蔵庫の仕切体の断面図である。なお、実施の形態１と同一構成については、同一符号を付して詳細な説明を省略する。
【００４５】
４６は、仕切り体２４，２５の前面部に取り付けられた縦横一体の前面板である。前面板４６はＡＢＳやポリプロピレン等のプラスチック樹脂で成型されており、前方板３８の表面上にはホットスタンプ等の方法で良熱伝導性の金属材料４７を複合している。
【００４６】
４８、４９は、シール部材としてのガスケットで、内部に磁性体４８ａ、４９ａを有しており、野菜室引き出し式扉２８、製氷室引き出し扉２９、低温室引出し扉３０に配設されている。前面板４６は、シール部材４８，４９との接触面より外気と接触する側に良熱伝導性の金属材料を複合しており、完全にシールされている。
【００４７】
以上のような構成において、前面板の前方部に取り付けられた良熱伝導性の金属材料４７によりシール部４８，４９に取り付けられた磁性体４８ａ，４９ａと確実にシールすることができシール性が向上し、更に熱の対流をおさえることができ、前面板の発汗を防止できる。
【００４８】
また、前面板の前方部にとりつけられた良熱伝導性の金属材料４７は、庫内側への熱伝導を抑えるために磁性体４８ａ，４９ａより庫内側に配設されてはいけないため、ドアのとりつけばらつき、ドア荷重によるばらつきを考慮して、磁性体４８ａ、４９ａの法線方向の中心線より、庫外側に配設するだけで十分である。また、必要以上に庫内側に良熱伝導性の材料を配設しないため、熱侵入をおさえることができる。
【００４９】
また、前面部の良熱伝導性の物質を鉄にすることにより、シール部内に挿入されたマグネットと着磁して前面板とガスケットとの確実なシールが可能になる。
【００５０】
（実施の形態３）
図７は、本実施の形態３による冷蔵庫の正面図である。図９は前面板の斜視図である。
【００５１】
図において、縦横一体の前面板５０は、野菜室１９と製氷室２０と低温室２１と冷凍室２２を仕切る仕切体２４，２５，２６の前面部に取り付けられている。
【００５２】
-以上の構成において、前面板５は縦横一体化により２箇所の交差部の隙間をなくすことができるので、熱侵入を更に強化できる。また、部品点数を抑えることができるので、作業工数も削減できる。
【００５３】
（実施の形態４）
図９は、本実施の形態４による冷蔵庫の縦断面図である。なお、実施の形態１から３との同一構成については、同一符号を付して詳細な説明を省略する。
【００５４】
図９において、５１は真空断熱材であり、冷蔵庫の外箱５２に貼付される。本実施の冷蔵庫は外箱５２と内箱５３とを組み合わせ、その間に硬質ウレタンフォーム４１を発泡充填させ断熱性能に優れる筐体を形成している。なお本実施例では、冷蔵室１８の回転式扉２７と野菜室１９の引き出し式扉２８、製氷室２０の引き出し式扉２９、低温室２１の引き出し式扉３０、冷凍室２２の引き出し式扉３１にも真空断熱材５１を配設させているので、より断熱性能が高くなっている。
【００５５】
また本実施の冷蔵庫において冷却器３２や圧縮機３５等で形成される冷凍サイクル中を流れる冷媒は可燃性自然冷媒のイソブタンを用いている。
【００５６】
以上の構成において、本実施の冷蔵庫の冷媒は可燃性自然冷媒を使用しているが、冷蔵庫はフロントコンデンサを配設しないので、システムボリュームが小さくなり冷媒量を削減されており、冷媒漏洩時における安全性が高い。さらに地球温暖化に対する影響が小さい自然冷媒を使用することは、地球環境にも配慮することにもなる。
【００５７】
また、従来の冷蔵庫は発汗防止用フロントコンデンサにより発汗を防いでいたが、冷蔵庫の運転率が低下すると発熱時間が短縮され発汗を発生させる恐れがあった。本実施の冷蔵庫は真空断熱材５１を用いて断熱性能に優れるので冷蔵庫の運転率が低下するが、庫内冷気の前面板への伝達を抑制する構造を有するので安定して発汗を防止はかることができる。さらに真空断熱材は硬質ウレタンフォームの数倍の断熱性能を有するので冷蔵庫庫内への熱侵入を有効に防ぐことができ、省エネルギー効果も高い。
【００５８】
なお、本実施の形態では、冷蔵庫の冷凍サイクルを流れる冷媒は可燃性自然冷媒であるイソブタンとしたが、ＨＦＣ１３４ａ等のフロン冷媒であっても構わない。
【産業上の利用可能性】
【００５９】
以上のように、本発明にかかる冷蔵庫は、庫内を仕切る仕切体の前面板の結露を防止することができ、冷蔵庫に限らず冷却室を区画する構成を有する冷却機器全般に適用できる。
【図面の簡単な説明】
【００６０】
【図１】本発明による冷蔵庫の実施の形態１の正面図
【図２】同実施の形態の冷蔵庫の縦断面図
【図３】同実施の形態の冷蔵庫の冷凍サイクル配管の透視図
【図４】同実施の形態の冷蔵庫の前面板の斜視図
【図５】同実施の形態の冷蔵庫の仕切体の断面図
【図６】本発明による冷蔵庫の実施の形態２の仕切体の断面図
【図７】本発明による冷蔵庫の実施の形態３の正面図
【図８】同実施の形態の冷蔵庫の前面板の斜視図
【図９】本発明による冷蔵庫の実施の形態４の縦断面図
【図１０】従来の冷蔵庫の縦断面図
【図１１】従来の冷蔵庫の冷凍サイクル配管の透視図
【図１２】従来の冷蔵庫の仕切体の断面図
【符号の説明】
【００６１】
１７    冷蔵庫本体
２４，２５，２６    仕切体
２４ａ    前面部
２４ｂ    溝
２７    回転式扉
２８，２９，３０，３１    引き出し式扉
３８    前面板
３８ａ    折り曲げ部
３８ｂ    リブ
３８ｃ    凸部
３８ｄ    突起部
３９    良熱伝導性材料
４０    空間部
４１    硬質ウレタンフォーム
４２、４３    ガスケット
４２ａ、４３ａ    補助部
４６    前面板
４７    良熱伝導性金属材料
４８，４９    ガスケット
４８ｂ、４９ｂ    磁性体
５０    前面板
５１    真空断熱材
５２    外箱
５３    内箱
【図１】
2005201524.tif 000003
【図２】
2005201524.tif 000004
【図３】
2005201524.tif 000005
【図４】
2005201524.tif 000006
【図５】
2005201524.tif 000007
【図６】
2005201524.tif 000008
【図７】
2005201524.tif 000009
【図８】
2005201524.tif 000010
【図９】
2005201524.tif 000011
【図１０】
2005201524.tif 000012
【図１１】
2005201524.tif 000013
【図１２】
2005201524.tif 000014